(57)【要約】【課題】傾斜角度の異なる設置場所に簡単に設置できるイベントフェンスを提供する。【解決手段】イベントフェンス１００は、両端がそれぞれ支柱１に回動可能に支持される横棧３と、両端がそれぞれ横棧３に回動可能に支持される縦棧４と、一方の端部７Ａが支柱１に回動可能に連結され、他方の端部７Ｂが横棧３に回動可能に連結される筋交い部材７と、を備え、一方の端部７Ａが支柱１に対して固定されることで、支柱１と横棧３との相対回転が規制される。【選択図】図１
2018016963.tif 000002
【特許請求の範囲】
【請求項１】
複数の支柱と、
両端がそれぞれ前記支柱に回動可能に支持される複数の横棧と、
両端がそれぞれ前記横棧に回動可能に支持される複数の縦棧と、
一方の端部が前記支柱または前記縦棧に回動可能に連結され、他方の端部が前記横棧または前記縦棧に回動可能に連結される筋交い部材と、を備え、
前記一方の端部が前記支柱または前記縦棧のいずれかに対して固定される、あるいは、前記他方の端部が前記横棧または前記縦棧のいずれかに対して固定されることで、前記支柱と前記横棧との相対回転が規制されることを特徴とするイベントフェンス。
【請求項２】
前記支柱または前記縦棧のいずれかに支持される前記一方の端部は、当該支柱または当該縦棧の外周に沿って軸方向にスライド可能な第１連結機構と連結されることを特徴とする請求項１に記載のイベントフェンス。
【請求項３】
前記第１連結機構は、
前記一方の端部が支持される前記支柱または前記縦棧の外周を覆うカバー部と、
前記カバー部の両端から互いに対向するように延びる一対の挟着部と、
前記一対の挟着部を締め付けて当該支柱または当該縦棧の外周に前記カバー部を固定するとともに、前記一方の端部を回動可能に支持するボルトと、を有することを特徴とする請求項２に記載のイベントフェンス。
【請求項４】
前記横棧または前記縦棧のいずれかに支持される前記他方の端部は、当該横棧または当該縦棧の外周に沿って軸方向にスライド可能な第１連結機構と連結されることを特徴とする請求項１に記載のイベントフェンス。
【請求項５】
前記第１連結機構は、
前記他方の端部が支持される前記横棧または前記縦棧の外周を覆うカバー部と、
前記カバー部の両端から互いに対向するように延びる一対の挟着部と、
前記一対の挟着部を締め付けて当該横棧または当該縦棧の外周に前記カバー部を固定するとともに、前記他方の端部を回動可能に支持するボルトと、を有することを特徴とする請求項４に記載のイベントフェンス。
【発明の詳細な説明】
【技術分野】
【０００１】
本発明は、イベントフェンスに関する。
【背景技術】
【０００２】
特許文献１には、イベントなどに用いられる簡易設置型のフェンスが記載されている。
【０００３】
特許文献２には、支柱の間に設けられた上下の横棧と、上下の横棧の間に設けられた複数の縦棧と、を備えたフェンス（柵パネル）が記載されている。
【先行技術文献】
【特許文献】
【０００４】
【特許文献１】登録実用新案公報第３２００６７０号公報
【特許文献２】特開２０００−１２０３０４号公報
【発明の概要】
【発明が解決しようとする課題】
【０００５】
特許文献１に記載のフェンスは、設置場所を簡単に変えることができるものの、傾斜地や階段などに設置することができない。これに対して、特許文献２に記載のフェンスは、傾斜地や階段などに対応した傾斜角度で設置することができる。しかしながら、特許文献２に記載のフェンスは、支柱が強固に固定されているため、設置場所を簡単に変えることができない。
【０００６】
そこで、特許文献２に記載のフェンスを設置場所を変えることができるようにすることが考えられる。しかしながら、特許文献２に記載のフェンスの構成では、傾斜地や階段などに設置した場合に、支柱と横棧とを固定するボルトにフェンスが倒れ込もうとする大きな負荷が作用し、ボルトが破損するおそれがある。このような事態を回避するためには、支柱と横棧とをボルトによって固定することに加え、横棧と縦棧とをボルトなどによって固定することが考えられる。しかしながら、このような構成では、フェンスの設置場所を傾斜角度の異なる場所に変更するとき、全てのボルトを緩めてから、再びすべてのボルトを締めなおす必要が生じ、作業が煩雑になってしまう。
【０００７】
本発明は、このような技術的課題に鑑みてなされたもので、傾斜角度の異なる設置場所に簡単に設置できるイベントフェンスを提供することを目的とする。
【課題を解決するための手段】
【０００８】
本発明は、複数の支柱と、両端がそれぞれ支柱に回動可能に支持される複数の横棧と、両端がそれぞれ横棧に回動可能に支持される複数の縦棧と、一方の端部が支柱または縦棧に回動可能に連結され、他方の端部が横棧または縦棧に回動可能に連結される筋交い部材と、を備え、一方の端部が支柱または縦棧のいずれかに対して固定される、あるいは、他方の端部が横棧または縦棧のいずれかに対して固定されることで、支柱と横棧との相対回転が規制されることを特徴とする。
【発明の効果】
【０００９】
本発明によれば、イベントフェンスを傾斜角度の異なる設置場所に簡単に設置できる。
【図面の簡単な説明】
【００１０】
【図１】本発明の実施形態に係るイベントフェンスの正面図である。
【図２】本発明の実施形態に係るイベントフェンスの側面図である。
【図３】本発明の実施形態に係るイベントフェンスの脚部を回転させた状態の正面図である。
【図４】本発明の実施形態に係るイベントフェンスにおける支柱と横棧との連結部分の拡大図である。
【図５】図４のＡ−Ａ線に沿う断面図である。
【図６】本発明の実施形態に係る第１連結機構の断面図である。
【図７】本発明の実施形態に係るイベントフェンスを階段に設置した状態を示す正面図である。
【図８】本発明の実施形態に係るイベントフェンスの変形例を示す図である。
【図９】本発明の実施形態に係るイベントフェンスの変形例を示す図である。
【図１０】本発明の実施形態に係るイベントフェンスの変形例を示す図である。
【図１１】本発明の実施形態に係るイベントフェンスの変形例を示す図である。
【発明を実施するための形態】
【００１１】
以下、図面を参照しながら本発明の実施形態に係るイベントフェンス１００について説明する。
【００１２】
イベントフェンス１００は、イベント会場、工事現場、あるいは警備などの際に、人や車両の通行の規制や誘導路を形成するために用いられる。
【００１３】
図１は、イベントフェンス１００の正面図であり、図２は、イベントフェンス１００の側面図である。図１及び図２に示すように、イベントフェンス１００は、一対の支柱１と、支柱１を支持する脚部２と、両端が支柱１に回動可能に支持される複数の横棧３と、両端がそれぞれ横棧３に回動可能に支持される複数の縦棧４と、を備える。支柱１、脚部２、横棧３及び縦棧４は、支柱１、横棧３及び縦棧４は、同一のパイプによって形成される。パイプは、例えば、金属製のパイプに塩化ビニールなどの樹脂を被覆することによって形成される。なお、パイプの材質はこれに限らず、樹脂によって形成されたものなど、どのようなものであってもよい。
【００１４】
支柱１の下端部には、回転可能に脚部２が連結される。図１及び図２に示すように、脚部２を横棧３に対して直交する位置にあると、イベントフェンス１００は自立する。これに対して、図３に示すような、脚部２を横棧３と平行になる位置に回転させると、脚部２は、横棧３及び縦棧４と略面一になる。これにより、複数のイベントフェンス１００を重ねて搬送したり、収容する際に、脚部２がイベントフェンス１００の積層方向に突出せず、効率良く積み重ねることができる。
【００１５】
横棧３の端部は、連結機構２０を介して支柱１に連結される。図４に示すように、連結機構２０は、支柱１に固定される第１ジョイント金具５と、横棧３の端部に固定される第２ジョイント金具６と、第１ジョイント金具５と第２ジョイント金具６とを回動自在に連結するボルト１０と、を有する。図１に示すように、支柱１には、間隔をあけて複数の第１ジョイント金具５が固定され、横棧３の両端部には第２ジョイント金具６が固定される。これらの第１ジョイント金具５及び第２ジョイント金具６が、それぞれ連結機構２０を構成する。
【００１６】
図４及び図５に示すように、第１ジョイント金具５は、支柱１の外周を覆うカバー部５ａと、カバー部５ａの両端から径方向に互いに対向するように延びる一対の挟着部５ｂと、挟着部５ｂに形成されボルト１０が挿通される貫通孔５ｃと、を有する。カバー部５ａは、軸方向に延びるスリット５ｄを有した円筒状に形成される。挟着部５ｂは、カバー部５ａの周方向の端部から径方向に延びるように形成される。
【００１７】
カバー部５ａの内径は、支柱１の外径よりも若干大きく形成される。これにより、ボルト１０を締め付けていない状態では、カバー部５ａが支柱１の外周面に沿ってスライドすることが許容される。また、一対の挟着部５ｂがボルト１０とナット１２の間で締め付けられることで、カバー部５ａが縮径するように変形し、第１ジョイント金具５（カバー部５ａ）が支柱１の外周に固定される。
【００１８】
第２ジョイント金具６は、２つのカバー部材６ｄによって構成される。具体的には、カバー部材６ｄは、横棧３の外径よりも若干大きな内径を有する半円筒状に形成される。カバー部材６ｄは、それぞれ、横棧３の外周を覆うカバー部６ａと、カバー部６ａ軸方向に延びる突出部６ｂと、突出部６ｂに形成されボルト１０が挿通される貫通孔６ｃと、横棧３の端部を覆う平板部６ｅを有する。突出部６ｂは、平板部６ｅから軸方向に延びるように形成される。このように構成された２つのカバー部材６ｄどうしを横棧３の端部の外周面を覆うように組み合わせて、ボルト１１によって締め付けることで、第２ジョイント金具６は、カバー部６ａが横棧３の外周面に押し付けられて横棧３の外周に固定される。
【００１９】
ボルト１０は、一対の挟着部５ｂを締め付けて支柱１の外周にカバー部５ａを固定するとともに、横棧３の一方の端部を回動可能に支持する。言い換えると、第１ジョイント金具５は、ボルト１０によって支柱１の外周に固定され、第１ジョイント金具５と第２ジョイント金具６とは、ボルト１０によって回動可能に連結される。
【００２０】
図５に示す状態では、第１ジョイント金具５の一対の挟着部５ｂはボルト１０によって締め付けられているが、第１ジョイント金具５の挟着部５ｂと第２ジョイント金具６の突出部６ｂとの間には、若干の隙間が存在している。言い換えると、ボルト１０は、第１ジョイント金具５の挟着部５ｂと第２ジョイント金具６の突出部６ｂとの間に若干の隙間が存在するとともに、カバー部５ａを変形させて第１ジョイント金具５を支柱１の外周に固定できるような締め付け力で締め付けられている。
【００２１】
このようにして、第１ジョイント金具５と第２ジョイント金具６とがボルト１０を介して回動自在に連結されることで、横棧３は、支柱１に回動可能に支持される。なお、横棧３と縦棧４も同様に第１ジョイント金具５及び第２ジョイント金具６とを有する連結機構２０によって回動可能に連結される。
【００２２】
図１に示すように、イベントフェンス１００は、一方の端部７Ａが支柱１に回動可能に支持され、他方の端部７Ｂが横棧３に回動可能に支持される筋交い部材７をさらに備える。筋交い部材７は、支柱１及び横棧３のそれぞれの軸線に対して交差する（傾斜する）ようにして支持される。
【００２３】
筋交い部材７の一方の端部７Ａは、支柱１の外周に沿って軸方向にスライド可能な第１連結機構としての連結機構２０Ａによって支柱１に連結される。筋交い部材７の他方の端部７Ｂは、横棧３に連結機構２０によって連結される。具体的には、筋交い部材７の両端には、第２ジョイント金具６がそれぞれ固定される。筋交い部材７の端部７Ａ側の第２ジョイント金具６は、支柱１に支持された第１ジョイント金具５Ａに連結され、筋交い部材７の端部７Ｂ側の第２ジョイント金具６は、横棧３に支持された第１ジョイント金具５に連結される。なお、図６に示すように、連結機構２０Ａは、ボルト１０Ａが蝶ねじによって構成されるである点を除いては、上記した連結機構２０と同じ構成である。
【００２４】
図１に示す状態、すなわちイベントフェンス１００を設置している状態では、連結機構２０Ａにおけるボルト１０Ａは、連結機構２０におけるボルト１０よりも大きな締め付け力で締め付けられる。具体的には、ボルト１０Ａは、第１ジョイント金具５の挟着部５ｂが第２ジョイント金具６の突出部６ｂを挟み込んで第１ジョイント金具５と第２ジョイント金具６との相対回転を規制するような締め付け力で締め付けられる。つまり、この状態では、第１ジョイント金具５と第２ジョイント金具６とが固定されるので、支柱１と筋交い部材７との相対回転が規制される。これにより、支柱１と横棧３との相対回転も規制されているので、イベントフェンス１００は、図１に示すように自立した状態に保持される。
【００２５】
次に、イベントフェンス１００を図１に示すような平地に設置された状態から、設置場所を傾斜した場所、例えば、図７に示すような階段に変更する場合を例に説明する。
【００２６】
図１に示す状態から、図７に示すような傾斜した場所に設置場所を変更するには、まず、連結機構２０Ａのボルト１０Ａ（２箇所）を緩める。具体的には、第１ジョイント金具５と第２ジョイント金具６との相対回転を許容されるとともに、カバー部５ａの変形状態が解除され第１ジョイント金具５が支柱１の外周に沿って軸方向にスライド可能な状態となるまで、連結機構２０Ａのボルト１０Ａ（２箇所）を緩める。これにより、支柱１と筋交い部材７とが相対回転可能となり、支柱１と横棧３、および横棧３と縦棧４との相対回転も可能となる。
【００２７】
この状態で、イベントフェンス１００を設置場所（図７）に移動し、２つの脚部２をそれぞれ地面に設置させると、支柱１と横棧３との間の角度θが、階段の傾斜角度に応じて変化する。このとき、第１ジョイント金具５Ａのカバー部５ａは、角度θが小さくなるにつれて（図７における右側の支柱１に連結された第１ジョイント金具５Ａ）支柱１の外周に沿って軸方向下側に向かってスライドし、角度θが大きくなるにつれて（図７における左側の支柱１に連結された第１ジョイント金具５Ａ）支柱１の外周に沿って軸方向上側に向かってスライドする。これにより、筋交い部材７の支柱１に対する位置が調整される。そして、支柱１を地面に対して垂直に起立させた状態で、ボルト１０Ａを第１ジョイント金具５と第２ジョイント金具６との相対回転を規制するような締め付け力で締め付ける。これにより、第１ジョイント金具５と第２ジョイント金具６とが固定されるので、支柱１と横棧３との相対回転が規制される。よって、イベントフェンス１００は、横棧３が階段の傾斜に沿った状態で自立することができる。
【００２８】
筋交い部材７の無いイベントフェンスでは、例えば、支柱１の上端の連結機構２０におけるボルト１０のみを締め付けることによって、支柱１と横棧３との相対回転を防止することが考えられる。しかしながら、このような構成では、横棧３や縦棧４などの自重によってボルト１０に作用する力は、そのほとんどがボルト１０を回転させる方向に作用する。このため、支柱１と横棧３との相対回転を防止するためには、ボルト１０の締め付け力を相当大きくする必要がある。しかし、ボルト１０によって発生できる締め付け力にも限界がある。また、ボルト１０を太くして強度を持たせることも考えられるが、スペースにも限界があるため、実際には、支柱１の上端の連結機構２０におけるボルト１０のみを締め付けることだけでは、支柱１と横棧３との相対回転を防止することは難しい。このため、このような構成では、他の連結機構２０におけるボルト１０を締め付ける必要がある。
【００２９】
これに対して、本実施形態のイベントフェンス１００では、筋交い部材７が横棧３及び支柱１に対して斜めになるようにして支持されているため、横棧３や縦棧４などの自重によってボルト１０に作用する力は、ボルト１０Ａに対して垂直方向に作用する力（荷重）とボルト１０Ａを回転させる方向に作用する分力となる。このため、ボルト１０Ａのみの締め付け力によって支柱１と横棧３との相対回転を防止することができる。このように、イベントフェンス１００によれば、ボルト１０Ａのみを締め付ければいいので、設置作業を簡単に行うことができる。
【００３０】
以上の実施形態によれば以下の効果を奏する。
【００３１】
イベントフェンス１００では、ボルト１０Ａを締め付けて筋交い部材７の一方の端部７Ａを支柱１に対して固定することで、支柱１、横棧３及び縦棧４の相対回転を規制できるとともに、ボルト１０Ａを緩めるだけで、支柱１と横棧３との間の角度θを調整することができる。つまり、イベントフェンス１００では、ボルト１０Ａを調節することで、支柱１と横棧３との間の角度θを調整することができるので、傾斜角度の異なる設置場所に簡単に設置できる。
【００３２】
また、イベントフェンス１００では、第１ジョイント金具５Ａのカバー部５ａが支柱１の外周面に沿って軸方向にスライドするので、筋交い部材７の位置調整を簡単に行うことができる。
【００３３】
さらに、イベントフェンス１００では、ボルト１０Ａを筋交い部材７の端部７Ａを支柱１に対して固定する部材として用いるとともに、筋交い部材７を支柱１に回動可能に支持する部材として用いているので、部品点数を少なくすることができる。
【００３４】
なお、上記実施形態では、筋交い部材７が、支柱１と上側の横棧３に回動可能に連結される構成を例に説明したが、図８に示すような筋交い部材７が支柱１と上側の横棧３に回動可能に連結される構成であってもよい。また、筋交い部材７は、支柱１、横棧３および縦棧４の軸線に対して傾斜するように支持されていれば、例えば、図９に示すような支柱１と縦棧４に回動可能に連結される構成、図１０に示すような縦棧４と横棧３に回動可能に連結される構成、あるいは図１１に示すような縦棧４と縦棧４に回動可能に連結される構成であってもよい。
【００３５】
以上のように構成された本発明の実施形態の構成、作用、及び効果をまとめて説明する。
【００３６】
イベントフェンス１００は、複数の支柱１と、両端がそれぞれ支柱１に回動可能に支持される複数の横棧３と、両端がそれぞれ横棧３に回動可能に支持される複数の縦棧４と、一方の端部７Ａが支柱１または縦棧４に回動可能に連結され、他方の端部７Ｂが横棧３または縦棧４に回動可能に連結される筋交い部材７と、を備え、一方の端部７Ａが支柱１または縦棧４のいずれかに対して固定される、あるいは、他方の端部７Ｂが横棧３または縦棧４のいずれかに対して固定されることで、支柱１と横棧３との相対回転が規制される。
【００３７】
この構成では、一方の端部７Ａを支柱１または縦棧４のいずれかに対して固定する、あるいは、他方の端部７Ｂを横棧３または縦棧４のいずれかに対して固定することで、支柱１、横棧３および縦棧４の相対回転を規制できる。さらに、固定された部分を調整するだけで、支柱１と横棧３との間の角度θを調整することができる。
【００３８】
また、イベントフェンス１００では、支柱１または縦棧４のいずれかに支持される一方の端部７Ａは、当該支柱１または当該縦棧４の外周に沿って軸方向にスライド可能な第１連結機構（連結機構２０Ａ）と連結される。
【００３９】
この構成では、筋交い部材７の一方の端部７Ａが、支柱１または縦棧４の外周に沿って軸方向にスライドするので、筋交い部材７の位置調整を簡単に行うことができる。
【００４０】
また、イベントフェンス１００では、第１連結機構（連結機構２０Ａ）は、一方の端部７Ａが支持される支柱１または縦棧４の外周を覆うカバー部５ａと、カバー部５ａの両端から互いに対向するように延びる一対の挟着部５ｂと、一対の挟着部５ｂを締め付けて当該支柱１または当該縦棧４の外周にカバー部５ａを固定するとともに、一方の端部７Ａを回動可能に支持するボルト１０Ａと、を有する。
【００４１】
この構成では、ボルト１０Ａを緩めるだけでカバー部５ａの位置を調整できるので、筋交い部材７の位置調整を簡単に行うことができる。また、カバー部５ａを固定するためのボルト１０Ａを筋交い部材７の端部７Ａを回動可能に支持する部材として用いているので、部品点数を少なくすることができる。
【００４２】
また、イベントフェンス１００では、横棧３または縦棧４のいずれかに支持される他方の端部７Ｂは、当該横棧３または当該縦棧４の外周に沿って軸方向にスライド可能な第１連結機構（連結機構２０Ａ）と連結される。
【００４３】
この構成では、筋交い部材７の他方の端部７Ｂが、横棧３または縦棧４の外周に沿って軸方向にスライドするので、筋交い部材７の位置調整を簡単に行うことができる。
【００４４】
また、イベントフェンス１００では、第１連結機構（連結機構２０Ａ）は、他方の端部７Ｂが支持される横棧３または縦棧４の外周を覆うカバー部５ａと、カバー部５ａの両端から互いに対向するように延びる一対の挟着部５ｂと、一対の挟着部５ｂを締め付けて当該横棧３または当該縦棧４の外周にカバー部５ａを固定するとともに、他方の端部７Ｂを回動可能に支持するボルト１０Ａと、を有する。
【００４５】
この構成では、ボルト１０Ａを緩めるだけでカバー部５ａの位置を調整できるので、筋交い部材７の位置調整を簡単に行うことができる。また、カバー部５ａを固定するためのボルト１０Ａを筋交い部材７の端部７Ｂを回動可能に支持する部材として用いているので、部品点数を少なくすることができる。
【００４６】
以上、本発明の実施形態について説明したが、上記実施形態は本発明の適用例の一部を示したに過ぎず、本発明の技術的範囲を上記実施形態の具体例に限定する趣旨ではない。
【００４７】
例えば、筋交い部材７は、支柱１、横棧３および縦棧４の軸線に対して傾斜するように支持されていれば、どのような向きに支持されていてもよい。また、第２ジョイント金具６は、支柱１、横棧３、縦棧４及び筋交い部材７と一体に形成されていてもよい。
【００４８】
上記実施形態では、筋交い部材７の端部７Ａ側を第１連結機構としたが、第１ジョイント金具５Ａの移動を許容できるスペースを確保できれば、筋交い部材７他方側（端部７Ｂ側）の連結機構２０をスライド可能な第１連結機構としてもよい。
【００４９】
支柱１、横棧３、筋交い部材７の数は、２本に限らず、１本あるいは３本以上であってもよい。また、ボルト１０Ａは、蝶ねじを例に説明したが簡単に締め付けることができればどのような構成であってもよい。ボルト１０は、ボルト１０Ａと同じ蝶ねじであってもよい。
【符号の説明】
【００５０】
１００・・・イベントフェンス、１・・・支柱、２・・・脚部、３・・・横棧、４・・・縦棧、５，５Ａ・・・第１ジョイント金具、５ａ・・・カバー部、５ｂ・・・挟着部、６・・・第２ジョイント金具、６ａ・・・カバー部、６ｂ・・・突出部、６ｄ・・・カバー部材、７・・・筋交い部材、７Ａ・・・端部、７Ｂ・・・端部、１０・・・ボルト、１０Ａ・・・ボルト、２０・・・連結機構、２０Ａ・・・連結機構（第１連結機構）
【図１】
2018016963.tif 000003
【図２】
2018016963.tif 000004
【図３】
2018016963.tif 000005
【図４】
2018016963.tif 000006
【図５】
2018016963.tif 000007
【図６】
2018016963.tif 000008
【図７】
2018016963.tif 000009
【図８】
2018016963.tif 000010
【図９】
2018016963.tif 000011
【図１０】
2018016963.tif 000012
【図１１】
2018016963.tif 000013